(57)【要約】【課題】貯水タンクや貯水タンクに溜まる水を殺菌することができ衛生性に優れたミストサウナ装置を提供する。【解決手段】ミストサウナ装置１００は、室内に通じる吸込口６、同室内に通じる吹出口７、及び吸込口６と吹出口７との間に形成された一連の風路構造８を有する装置本体８０と、装置本体８０に収納され風路構造８に空気流を形成する循環送風機１０と、循環送風機１０の下流側の風路構造８に設けられ水分を貯留する貯水タンク３２を有しこの貯水タンク３２の水分を霧化して放散する霧化能力可変の霧化装置５０と、終了運転時に貯水タンク３２を加熱して熱殺菌するヒータ２０とを有する。【選択図】        図３
2008006101.tif 000002
【特許請求の範囲】
【請求項１】
室内に通じる吸込口、同室内に通じる吹出口、及び前記吸込口と前記吹出口との間に形成された一連の風路構造を有する装置本体と、
前記装置本体に収納され前記風路構造に前記吸込口から前記吹出口に向かう空気流を形成する循環送風機と、
前記循環送風機の下流側の前記風路構造に設けられ水分を貯留する貯水タンクを有し該貯水タンクの水分を霧化して放散する霧化能力可変の霧化装置と、
終了運転時に前記貯水タンクを加熱して熱殺菌するヒータと
を備えたことを特徴とするミストサウナ装置。
【請求項２】
前記ヒータは準備運転時に前記貯水タンク内の水分を予備加熱する
ことを特徴とする請求項１に記載のミストサウナ装置。
【請求項３】
前記ヒータは、ミスト運転時において前記霧化装置が霧化した水分を可変能力により加熱する能力可変の温風ヒータであり、前記終了運転時に水分を抜いた前記貯水タンクに対して温風を吹きかけて熱殺菌する
ことを特徴とする請求項１または２に記載のミストサウナ装置。
【請求項４】
前記温風ヒータは、前記終了運転時にさらに前記風路構造の風路壁に熱風を吹きかけて熱殺菌をする
ことを特徴とする請求項３に記載のミストサウナ装置。
【請求項５】
前記ヒータは、前記貯水タンク内に設けられ終了運転時に前記貯水タンク内の水分を加熱して熱殺菌する水加熱ヒータである
ことを特徴とする請求項１または２に記載のミストサウナ装置。
【請求項６】
前記ヒータは、ミスト運転時において前記霧化装置が霧化した水分を可変能力により加熱する能力可変の温風ヒータと、前記貯水タンク内に設けられ終了運転時に前記貯水タンク内の水分を加熱して熱殺菌する水加熱ヒータとを含み、前記温風ヒータは、前記終了運転時に水分を抜いた前記貯水タンクに対して温風を吹きかけて熱殺菌する
ことを特徴とする請求項１または２に記載のミストサウナ装置。
【請求項７】
前記ヒータは、前記貯水タンク、前記貯水タンク内の水分、および前記風路構造の風路壁の少なくともいずれかを６０℃以上に加熱し、この状態５分以上保持して熱殺菌する
ことを特徴とする請求項１から６のいずれか１項に記載のミストサウナ装置。
【請求項８】
準備運転時に前記貯水タンクの給排水を行って当該貯水タンクを洗浄する給排水手段をさらに備えた
ことを特徴とする請求項１から７のいずれか１項に記載のミストサウナ装置。
【請求項９】
室内に通じる吸込口、同室内に通じる吹出口、及び前記吸込口と前記吹出口との間に形成された一連の風路構造を有する装置本体と、前記装置本体に収納され前記風路構造に前記吸込口から前記吹出口に向かう空気流を形成する循環送風機と、前記循環送風機の下流側の前記風路構造に設けられ水分を貯留する貯水タンクを有し該貯水タンクの水分を霧化して放散する霧化能力可変の霧化装置とを有するミストサウナ装置の前記貯水タンクの殺菌方法であって、
準備運転時に前記貯水タンクの給排水を行って当該貯水タンクを洗浄するとともに、終了運転時にヒータで前記貯水タンクを加熱して熱殺菌する
ことを特徴とする殺菌方法。
【請求項１０】
ミスト運転時に前記霧化装置が霧化した水分を加熱する温風ヒータを、前記ヒータとして使用するとともに、前記終了運転時に水分を抜いた前記貯水タンクに対して前記温風ヒータで温風を吹きかけて熱殺菌する
ことを特徴とする請求項９に記載の殺菌方法。
【請求項１１】
前記温風ヒータにて熱風を吹きかけることにより、前記風路構造の風路壁の熱殺菌もすることを特徴とする請求項１０に記載の殺菌方法。
【請求項１２】
前記終了運転時に前記貯水タンク内に設けた水加熱ヒータにて、前記貯水タンク内の水分を加熱して熱殺菌する
ことを特徴とする請求項９に記載の殺菌方法。
【請求項１３】
前記貯水タンク、前記貯水タンク内の水分、および前記風路構造の風路壁の少なくともいずれかを６０℃以上に加熱し、この状態５分以上保持して熱殺菌する
ことを特徴とする請求項９から１２のいずれか１項に記載の殺菌方法。
【発明の詳細な説明】
【技術分野】
【０００１】
本発明は、高温多湿の空気及び加温された微細粒子状の水滴によるミストサウナ雰囲気を室内に生成するミストサウナ装置に関するものであり、特にミストサウナ装置の殺菌方法に関するものである。
【背景技術】
【０００２】
高温多湿の空気及び加温された微細粒子状の水滴によるミストサウナ雰囲気を生成するミストサウナ装置としては、従来、給湯器の温水と給水圧力を利用して浴室内に微細な水滴を噴霧するもの、温水を破砕して浴室内に噴霧するもの、熱交換促進剤に散水して湯気を生成して浴室内に供給するもの、加熱装置で水を沸かし、蒸気を浴室内に供給するもの、加熱装置で生成した温水を熱交換促進剤に散水して湯気を生成し、浴室内に供給するものなどがある（例えば、特許文献１参照）。
【０００３】
加湿運転中には、貯水タンクには常に水が蓄えられていることから、細菌（例えばレジオネラ菌属）が繁殖する恐れがある。従来、超音波振動子を用いた超音波加湿機において、超音波振動子の近傍に水加熱ヒータを配設して霧化する部分の水温を上昇させることにより熱殺菌を行う提案がされている（例えば、特許文献２参照）。
【０００４】
【特許文献１】特開２０００−１９７６８２号公報
【特許文献２】特許第２１１６８７１号公報
【発明の開示】
【発明が解決しようとする課題】
【０００５】
サウナには高温（一般には９０℃〜１００℃）の加熱器にて加温された空気によりサウナ雰囲気を作るドライサウナと、低温（一般には４０℃近傍で、１００％に近い相対湿度）の湯気によりサウナ雰囲気を作るミストサウナとがある。ミストサウナは、ドライサウナに比較し、身体への負担が少ないことから、近年、公衆浴場をはじめ一般家庭でも普及し始めている。ミストサウナ雰囲気を作る従来のミストサウナ装置は、利用者の好みの温度・湿度環境を提供するために湯温や循環水量、循環風量を制御して温度・湿度環境を整えている。ミストサウナでは温度・湿度は重要な制御要因であり、浴室空間を使ったミストサウナの場合、浴室全体を適温・適湿状態に制御することが重要である。ミストサウナで言うミストとは微細な水粒子であり、一般的には湯気である。ミストサウナに適した温度・湿度環境では、入浴者にとって身体への負担はドライサウナに比べて軽減するものの、多湿環境でのサウナ浴は呼吸において負担が高い。ミストサウナの空気条件において息苦しさは、浴室内部のミストを残存させれば改善されるが、人によって息苦しさを感じる感覚が異なる。従来の温水を散水するタイプやノズルで噴霧するタイプでは、浴室内のミストを残存させるには浴室内温度を下げるか、温水温度を上げるかしなければならず、入浴者にとって浴室内温度や温水温度が変化することは不快である。
【０００６】
一方、上述の特許文献２に提案されている殺菌方法においては、加湿運転中に水加熱ヒータを起動しているため、水加熱ヒータの通電時間が長く、電力の消費量が多いので改善が求められていた。
【０００７】
この発明は上述のような課題を解決するためになされたもので、室内のミストを残存させながら適温・適湿状態のミストサウナ雰囲気を生成できるとともに、貯水タンクや貯水タンクに溜まる水を終了運転時のみの動作により効率的に殺菌することができ省電力で衛生性に優れたミストサウナ装置、及びミストサウナ装置の貯水タンクの殺菌方法を提供することを目的とする。
【課題を解決するための手段】
【０００８】
この課題を解決するために、この発明に係るミストサウナ装置は、室内に通じる吸込口、同室内に通じる吹出口、及び吸込口と吹出口との間に形成された一連の風路構造を有する装置本体と、装置本体に収納され風路構造に吸込口から吹出口に向かう空気流を形成する循環送風機と、循環送風機の下流側の風路構造に設けられ水分を貯留する貯水タンクを有し貯水タンクの水分を霧化して放散する霧化能力可変の霧化装置と、終了運転時に貯水タンクを加熱して熱殺菌するヒータとを備えたことを特徴とする。
【０００９】
また、この発明に係るミストサウナ装置の貯水タンクの殺菌方法は、室内に通じる吸込口、同室内に通じる吹出口、及び吸込口と吹出口との間に形成された一連の風路構造を有する装置本体と、装置本体に収納され風路構造に吸込口から吹出口に向かう空気流を形成する循環送風機と、循環送風機の下流側の風路構造に設けられ水分を貯留する貯水タンクを有しこの貯水タンクの水分を霧化して放散する霧化能力可変の霧化装置とを有するミストサウナ装置の貯水タンクの殺菌方法であって、準備運転時に貯水タンクの給排水を行って貯水タンクを洗浄するとともに終了運転時にヒータで貯水タンクを加熱して熱殺菌することを特徴とする。
【発明の効果】
【００１０】
この発明に係るミストサウナ装置では、霧化装置の霧化能力の選定により室内のミストを残存させながら適温・適湿状態のミストサウナ雰囲気を生成でき、ミストが室内に充満するミストサウナ浴感を視覚的にも満喫できるものとすることができる。
【００１１】
また、終了運転時に貯水タンクを加熱して熱殺菌するヒータを有しており、貯水タンクや貯水タンクに溜まる水を終了運転時のみの動作により効率的に殺菌することができるので、省電力で衛生性に優れたミストサウナ装置とすることができる。
【発明を実施するための最良の形態】
【００１２】
以下、本発明にかかるミストサウナ装置、ミストサウナ装置の貯水タンクの殺菌方法の実施の形態を図面に基づいて詳細に説明する。なお、この実施の形態によりこの発明が限定されるものではない。
【００１３】
実施の形態１．
図１はこの発明に係るミストサウナ装置を設置した浴室を示す斜視図である。ミストサウナ装置１００は、図１に示すように浴室１上部の天井裏等の空間に設置される。ミストサウナ装置１００の主体を構成する装置本体８０は、天井面に沿って設けられる前パネル２と、天井裏等の空間に設置される本体箱体３とから構成されている。装置本体８０を運転操作するための操作装置として、浴室１の外には壁リモコン４が、また浴室１内には浴室リモコン５が設けられている。壁リモコン４及び浴室リモコン５からの操作信号は、装置本体８０内の受信装置にて受信される。本体箱体３は下面が開放した六面体の外殻に機能部品を組込んだ構成を成し、開放した下面を天井の背面に沿わせて取付けられる。前パネル２は、本体箱体３の開放した下面を覆う状態に天井面に沿って設けられる。
【００１４】
図２はこの発明に係るミストサウナ装置の実施の形態１の分解斜視図である。図３はこの発明に係るミストサウナ装置の実施の形態１の横断面図である。図４は図３の吹出口付近の部分拡大図である。図５は加熱装置、蒸発促進部材及び霧化装置の部分を拡大して示す斜視図である。図６はドレンパンの断面図である。なお、図２は本体箱体３の内部構造が良く確認できるように、本来浴室１に設置されたとき下に配置される前パネル２を上にして示している。図２に示されるように、装置本体８０は、循環送風機１０と換気送風機２７を装備しており、図中矢印にて示す装置本体８０内に形成される各々異なる風路構造内の空気を流通させる。装置本体８０には浴室１に通じる吸込口６と浴室１に通じる吹出口７を持つ一連の風路構造８が形成されている。吸込口６は前パネル２の側面に開設され、吹出口７は前パネル２の前面片側に開設されている。装置本体８０の風路構造８に吸込口６から吹出口７に向かう空気流を形成する循環送風機１０が組込まれている。
【００１５】
図３に示されるように、風路構造８には、循環送風機１０から下流（空気流の流れる方向）に向かって、加熱装置（温風ヒータ）２０、散水装置（第２の霧化装置）３０、蒸発促進部材４０及び霧化装置（第１の霧化装置）５０が、この順番にて設けられている。ここで、説明の便宜を図って、吸込口６と循環送風機１０との間の風路を風路８Ａ、循環送風機１０と温風ヒータ２０との間の風路を風路８Ｂ、温風ヒータ２０と散水装置３０と蒸発促進部材４０に対面する風路を風路８Ｃ、蒸発促進部材４０と吹出口７との間の風路で霧化装置５０に対面する風路を風路８Ｄとする。
【００１６】
風路構造８の循環送風機１０と散水装置３０との間に、加熱装置（温風ヒータ）２０が設けられている。温風ヒータ２０は、風路８Ａを介して外部から吸い込んだ空気を、加熱（加温）した後、風路８Ｂに熱風（温風）Ｗ１として送り出す目的で設けられている。温風ヒータ２０は、正特性サーミスタ１８とヒーターケース１９で構成され、加熱能力零から所定の加熱能力まで加熱能力可変とされている。
【００１７】
温風ヒータ２０は、ミスト運転時において霧化装置５０が霧化した水を可変能力により加熱する。本実施の形態においては、温風ヒータ２０は、終了運転時に水分を抜いた貯水タンク３２に対して温風を吹きかけて熱殺菌する。また、終了運転時にさらに風路構造８の風路壁に熱風を吹きかけて熱殺菌をする。なお、温風ヒータ２０を準備運転時に駆動させて貯水タンク３２内の水面に熱風を吹きかけることにより貯水タンク３２内の水を予備加熱してもよい。温風ヒータ２０の取付位置は、散水装置３０や霧化装置５０より高い位置にされている。
【００１８】
風路構造８の温風ヒータ２０と蒸発促進部材４０との間に、散水装置（第２の霧化装置）３０が設けられている。散水装置３０は、蒸発促進部材４０に水を散水する目的で設けられている。散水装置３０は、前パネル２と本体箱体３間に設けられたドレンパン１１の上に配設されている。散水装置３０は、水を蓄える貯水タンク３２と、この貯水タンク３２の底面に配設されて水を振動エネルギーにより霧化する超音波振動子３３とを有している。散水装置３０は、超音波振動子３３の振動エネルギーにより、風路８Ｃ内に水柱（霧化された水滴の柱）Ｍ１を発生させ、この水柱Ｍ１を熱風Ｗ１にて蒸発促進部材４０に浴びせることにより、貯水タンク３２内の水を蒸発促進部材４０に散水する。
【００１９】
風路構造８の散水装置３０と霧化装置５０との間に蒸発促進部材４０が設けられている。蒸発促進部材４０は、後述する霧化装置５０が発生するミストＭ２を浴室１内で長く残存させる目的で設けられている。蒸発促進部材４０は、温風ヒータ２０から熱風Ｗ１を吹きかけられて散水装置３０により浴びせかけられた水を表面から蒸発させることにより、加湿空気Ｗ２を発生させ、この加湿空気Ｗ２をミストＭ２に混合させることにより、霧化装置５０にて発生したミストＭ２を蒸発しにくい状態にして浴室１内部に送り込む。
【００２０】
風路構造８の蒸発促進部材４０の下流に、霧化装置（第１の霧化装置）５０が設けられている。霧化装置５０は、散水装置３０と共用する貯水タンク３２と、この貯水タンク３２内に設けられて水を振動エネルギーにより霧化する複数の超音波振動子５３とを有している。霧化装置５０は、複数の超音波振動子５３のうち所定個数の超音波振動子５３のみを撰んで駆動することにより、霧化能力が可変となるようにされている。霧化装置５０は、超音波振動子５３の振動エネルギーにより、風路８Ｄに向けて微細な水滴の柱である水柱Ｍ２を発生させる。この水柱Ｍ２と十分に加湿した加湿空気Ｗ２とを混合させることにより、浴室１内に湯気となって長く残存するミストを効率よく発生することができる。
【００２１】
散水装置３０と霧化装置５０とで共用する貯水タンク３２内に、溜められた水に水没するように水加熱ヒータ７０が設けられている。なお、この水加熱ヒータ７０は必ず必要な構成ではなく必要に応じて取り付けられる。水加熱ヒータ７０は、供給される電力量によって加熱能力を可変とする電気加熱ヒータであり、終了運転時に貯水タンク３２内の水を６０℃の状態に５分以上維持することにより熱殺菌する。また、水加熱ヒータ７０を準備運転時に駆動させて貯水タンク３２内の水を予備加熱してもよい。
【００２２】
散水装置３０と霧化装置５０の共通の構成である貯水タンク３２には図示しない給水系と排水系が接続されている。給水系は給水源である水道と貯水タンク３２との間に構成され、水道接続部手前にメンテナンス用の止水弁が設けられ、接続部に直結され水道水内部のゴミを除去するストレーナを介し、水道水の逆流防止のための逆支弁を介して貯水タンク３２の給水弁に接続されている。一方、排水系は排水弁を介して貯水タンク３２の最底部に接続され、貯水タンク３２に溜まった水を排水する。貯水タンク３２より排水弁を介して流れた水はドレンパン１１に回収され、回収された水はドレンアップ３７にて揚程を確保され装置本体８０に接続されたドレン接続部より排水される。
【００２３】
貯水タンク３２の水を排水する場合は、排水電磁弁（図示しない）を開けてドレンパン１１に排水する。ドレンパン１１に溜まった水はドレンアップ３７により、浴室１の排水口等に排水管を介して排水処理される。ドレンパン１１には電極式のドレン検知手段３８が配設され、ドレン検知がされると制御装置２６から壁リモコン４にエラー表示が行われ、運転は停止される（図６）。
【００２４】
貯水タンク３２には、異常給水時の水を排出するオーバーフロー管１４が設けられ（図５）、さらに、貯水する水の位置（低位水面・高位水面）を検知する水位検知手段１５，１６（図３，図５）が設けられている。また、超音波振動子５３の上方には振動エネルギーによって生成される水柱に沿って筒型のセパレータ１７が配設され、水柱同士が干渉して霧化機能が損なわれないようにしている。
【００２５】
前パネル２には吹出口７からの風向を可変にするルーバ２５とこれを駆動する駆動モータ（図示しない）が設けられている（図２，図３）。ルーバ２５は浴室リモコン５より送られた信号を装置本体８０の受信装置が受信し制御装置２６により処理されて動作する。なお、ルーバ２５は、指などが入らないように格子状に構成されている。
【００２６】
ドレンパン１１は、本体箱体３の前面（底面）を覆う構造で、換気吸込口２１と循環吸込口２２と循環吹出口２３が各々立壁２４に囲まれて開口されている。蒸発促進部材４０に連通する風路構造８の端は循環吹出口２３の立壁２４に隙間をもって外嵌めされている。この構成により、蒸発促進部材４０近傍の風路構造８内に生じる水滴を、隙間からドレンパン１１に導き込むことができ、吹出し開口７から浴室１内に滴下しないようにできる。ドレンパン１１には、所定以上のドレンが溜まると外部に排水するオーバーフロー管３９が設けられており、ドレンアップ３７が故障した場合に浴室天井裏に水が流れることを防止している（図４，図６）。
【００２７】
本体箱体３には循環送風機１０の他に換気送風機２７も組込まれている。換気送風機２７はそのモータ（図示しない）の回転数を可変制御することにより、風量を変えることが可能となっている。このモータの運転信号は、壁リモコン４の運転信号と浴室リモコン５の換気スイッチにより制御ユニット２６で処理され制御される。換気風路は循環風路（風路構造８）とは別になっていて、前パネル２の側面の吸込口６から吸われた空気は、開いた換気ダンパ２８を介して換気送風機２７に吸込まれ、本体箱体３の選択可能な排気口２９からダクト（図示しない）を介して屋外へ排気される。なお、換気は他の部屋（脱衣室や便所）からも行えるように本体箱体３には選択可能な複数の副吸込口（図示しない）が設けられている（図２）。
【００２８】
次に動作を説明する。最初に水加熱ヒータ７０が無い場合に関して一連の運転動作を説明し、次いで水加熱ヒータ７０が付加された場合の相違点および効果について説明する。
【００２９】
［準備運転］
壁リモコン４または浴室リモコン５にてミスト運転を選択すると、運転要求が制御装置２６に送られる。ミスト運転開始時には、まず準備運転が行われる。この準備運転において、制御装置２６はまず空になっている貯水タンク３２に対して水を溜める。つまり、貯水タンク３２の給水弁を開き排水弁を閉じることにより貯水タンク３２に水を溜める。また、同時にドレンパン１１に溜まっているドレンを排水するためにドレンアップ３７を起動する。
【００３０】
次に、貯水タンク３２内部に溜まったゴミを排除する目的で水の給排水を行う（貯水タンク３２の洗浄）。上述のように給水弁を開き排水弁を閉じて高位水位まで水を溜めた後、今度は逆に給水弁を閉じ排水弁を開けて排水を行う。このとき、排水時に低位水位検知が検出すれば排水弁が正常に動作していると判断して引き続きシーケンスを進める。一方、低位水位検知が検出しない場合は排水弁異常として壁リモコン４に異常である内容の表示をする。この給排水の動作を１回あるいは数回繰り返して貯水タンク３２内部に溜まったゴミを排除する。このようにして、ゴミ排除動作をした後、再度給水弁を開けて排水弁を閉じ、貯水タンク３２の高位水検知が検出するまで給水を行う。
【００３１】
なお、準備運転において、貯水タンク３２に給水中、或いは給水完了の後に、温風ヒータ２０を駆動させて貯水タンク３２内の水面に熱風を吹きかけることにより貯水タンク３２内の水を予備加熱してもよい。
【００３２】
［ミスト運転（本運転）］
貯水タンク３２内に高水位まで水が溜められた後、ミスト運転（本運転）が行われる。このミスト運転においては、循環送風機１０を起動させ、同時に温風ヒータ２０に通電して作動させる。そして温風ヒータ２０作動後に散水装置３０及び霧化装置５０を作動（超音波振動子３３，５３に通電）させる。
【００３３】
本実施の形態のミスト運転には３種類の運転モードがある。散水装置３０のみ運転する運転モード、散水装置３０と霧化装置５０の全ての超音波振動子５３を運転する運転モード、及び散水装置３０と霧化装置５０の一部の超音波振動子５３を運転する運転モードの３種類である。このように、運転モードを３種類用意したのは使用者の好みに合わせたミスト浴を提供する目的であり、浴室リモコン５にて運転モードの切換が可能とされている。
【００３４】
散水装置３０のみ動作させる運転モード（仮称：すっきりミスト）では、浴室内の温度と湿度は上昇するも残存ミストを生成することはしないため、湯気で充満されたミスト浴が嫌いな人に好まれる運転モードである。また、散水装置３０と霧化装置５０の全ての超音波振動子５３を動作させる運転モード（仮称：もわもわミスト）では、浴室内部にミストが充満するため、エステを満喫したい人に好まれる運転モードである。散水装置３０と霧化装置５０の一部の超音波振動子５３を動作させる運転モード（仮称：しっとりミスト）では、残存ミストの濃度がもわもわミストより少ない状態であり、しっとりミストともわもわミストの中間運転になる。また、温風ヒータ２０に通電しない状態で、循環送風機１０、散水装置３０及び霧化装置５０を運転すればミストのみ生成し浴室に供給することができ、湯上りの体の火照りを取るクールミストとしての運転も可能である。
【００３５】
ミスト運転中は、吸込空気の温度を温度センサ（図示しない）にて常時検出し、浴室１内部の温度が所定の温度以上にならないように制御する。具体的には、温度センサの出力に応じて温風ヒータ２０の加熱能力や循環送風機１０の回転数を調整することで行う。ミスト生成や蒸発により減量した水は、低位水検知によって検出され、これにより給水弁が開かれ高位水検知が検出されるまで補充される。
【００３６】
［終了運転］
ミスト運転終了時に終了運転が行われる。ミスト運転後は貯水タンク３２並びに風路構造８にミスト生成に伴う水滴が付着している。この水滴を残した状態で放置すると細菌（主にレジオネラ菌属）の繁殖原因になる。そのため、終了運転において乾燥と熱殺菌にてこれを防止する。
【００３７】
壁リモコン４または浴室リモコン５にて停止スイッチを操作すると、制御装置２６に運転停止要求信号が送られ終了運転に移行する。終了運転では、最初に散水装置３０と霧化装置５０の運転を停止し、次いで給水弁を開き水を供給して高位水位検知が検出するまで給水する。給水の完了後、給水弁を閉じて排水弁を開き貯水タンク３２の水を排水する。このとき、排水時に低位水位検知が検出すれば排水弁が正常に動作していると判断して引き続きシーケンスを進める。一方、低位水位検知が検出しない場合は排水弁異常として壁リモコン４に異常である内容の表示をする。
【００３８】
排水終了後に、貯水タンク３２と風路構造８に対して水滴の蒸発と熱殺菌とを行う。制御装置２６に搭載された電流検知手段と電圧検知手段により運転状態の消費電力を算出し、循環送風機１０の回転数より風量を算出し吸込温度から吹出温度を求め、この吹出温度が所定の温度になるように温風ヒータ２０の入力制御と循環送風機１０の回転数制御を行う。さらに、吹出温度を検出することにより、目標吹出温度と検出吹出温度の差を検出して、循環送風機１０の回転数を補正する。なお、消費電力の測定に電流検知と電圧検知を用いているが、電圧を固定にして電流検知のみで消費電力の測定を行っても、吹出温度で補正すれば所定の温度に制御することは可能である。一般にレジオネラ菌属は６０℃で５分以上の状態を維持することにより殺菌することができる。以上の動作により、貯水タンク３２及び風路構造８の風路壁に着露した水滴を蒸発させ、かつ熱殺菌を行うことが可能となる。さらに、温風ヒータ２０の通電遮断後、循環送風機１０のみを運転して温風ヒータ２０の温度を下げた後にドレンアップ３７と循環送風機１０の運転を停止して終了運転のシーケンスが終了する。
【００３９】
次に、水加熱ヒータ７０が付加された場合の相違点および効果について説明する。水加熱ヒータ７０を設けることにより、以下のように動作が代わるとともに、温風ヒータ２０のみでは不可能な以下の効果を得ることができる。
【００４０】
（１）水加熱ヒータ７０を設けることにより、準備運転時に貯水タンク３２内の水を短い時間で予備加熱することができる。本運転前の準備運転で貯水タンク３２の洗浄終了後に散水装置３０(超音波振動子３３)や霧化装置５０(超音波振動子５３）を運転すると振動子の発熱により水温は徐々に上昇する。貯水タンク３２の水温は高いほうが霧化量を増やすことができる。このとき水加熱ヒータ７０を駆動すればより早く水温を上昇させることができる。なお、上述のように、温風ヒータ２０でも水面に温風を流すことにより効果は少ないものの予備加熱をすることができる。
【００４１】
（２）水加熱ヒータ７０を設けることにより、終了運転時に貯水タンク３２を十分に熱殺菌することができる。水加熱ヒータ７０を設けた場合には、終了運転時に例えば次の動作により貯水タンク３２内の水を加熱して熱殺菌する。まず温風ヒータ２０の場合と同様に貯水タンク３２の給水弁を開いて高位数位検知が検出するまで給水する。高位水位検知が検出後、水加熱ヒータ７０と温風ヒータ２０の両方に通電する。そして、温風ヒータ２０は前述したように、規定された所定の温度になるように温風の温度を上げて風路構造８の乾燥、熱殺菌を行う。一方、水加熱ヒータ７０は水温が６０℃になるように貯水タンク３２内の水を加熱する。貯水タンク３２内部には水温検知サーミスタ（図示しない）が設けられており、水温が６０℃になるように水加熱ヒータ７０の入力制御が行われる。水温６０℃の状態が５分以上経過したところで、水加熱ヒータ７０への通電を停止し排水処理を行う。排水電磁弁の故障検知については上述した方法にて行う。そして、排水後貯水タンク３２内部の残水を乾燥させるため、所定の時間だけ温風ヒータ２０の運転を行う。その後は上述と同様の運転シーケンスにて動作後運転終了となる。
【００４２】
ミストサウナ装置は、少なくとも水加熱ヒータ７０と温風ヒータ２０のいずれか一方を搭載することにより、貯水タンク３２の熱殺菌をすることができるが、両方を搭載した場合の利点として、水のほうが熱伝導率が良いことから水を６０℃に温めて殺菌に用いることにより温風では届かない貯水タンク３２内部の細かな角部等でも確実に熱殺菌することができる点がある。貯水タンク３２の水を貯溜する部分については、水加熱ヒータ７０にて熱湯にて熱殺菌するとともに、この熱湯による殺菌の後に排水を行い、今度は温風ヒータ２０にて空になった貯水タンク３２を含めて風路構造８と吹出口７の温風殺菌をする。このように動作させることにより、その相乗効果から装置内部の殺菌を確実に行うことができる。なお、本実施の形態においては、水加熱ヒータ７０を殺菌のためだけに使用しているが、ミスト運転或いは加湿運転中に運転させれば加湿量を上げると同時に熱殺菌も行うことが可能である。
【産業上の利用可能性】
【００４３】
上述したミストサウナ装置（換気機能を含まない）は、ユニットバスに組込んだり、持運びできるコンパクトな形態を採ったりすることにより、災害時の仮設入浴設備として浴槽の設備を持たないような仮設の空間でもミスト浴できる入浴設備とすることができ、そして、暖房機としても機能させることができる。
【図面の簡単な説明】
【００４４】
【図１】この発明に係るミストサウナ装置を設置した浴室を示す斜視図である。
【図２】この発明に係るミストサウナ装置の実施の形態１の分解斜視図である。
【図３】この発明に係るミストサウナ装置の実施の形態１の横断面図である。
【図４】図３の吹出口付近の部分拡大図である。
【図５】実施の形態１の加熱装置、蒸発促進部材及び霧化装置の部分を拡大して示す斜視図である。
【図６】ドレンパンの断面図である。
【符号の説明】
【００４５】
１  浴室
２  前パネル
３  本体箱体
４  壁リモコン
５  浴室リモコン
６  吸込口
７  吹出口
８  風路構造
１０  循環送風機
１１  ドレンパン
１４  オーバーフロー管
１５，１６  水位検知手段
１７  セパレータ
１８  正特性サーミスタ
１９  ヒーターケース
２０  温風ヒータ（加熱装置）
２１  換気吸込口
２２  循環吸込口
２３  循環吹出口
２４  立壁
２５  ルーバ
２６  制御装置
２８  換気ダンパ
２９  排気口
３０  散水装置（第２の霧化装置）
３２  貯水タンク
３３，５３  超音波振動子
３７  ドレンアップ
３８  ドレン検知手段
３９  オーバーフロー管
４０  蒸発促進部材
４１  フィン
４２  フレーム
５０  霧化装置（第１の霧化装置）
７０  水加熱ヒータ
８０  装置本体
１００  ミストサウナ装置
【図１】
2008006101.tif 000003
【図２】
2008006101.tif 000004
【図３】
2008006101.tif 000005
【図４】
2008006101.tif 000006
【図５】
2008006101.tif 000007
【図６】
2008006101.tif 000008